(57)【要約】      （修正有）【課題】水分をより多く吸収できるとともに、外耳の奥まで洗浄部分が入り込むことを抑制できる耳洗浄器具を提供する。【解決手段】耳洗浄具Ｘとして、少なくとも先端が耳介内の外耳開口周辺に入る大きさを有する、先端が丸くなった略円柱体からなる細部洗浄部１１と、細部洗浄部の後端に一体に連なる板状体からなる面洗浄部１２とを有する、スポンジからなる洗浄体１０と、洗浄体の内部に設けられる細部洗浄部から面洗浄部に至る少なくとも細部洗浄部内は棒状に形成される芯２０とにより構成する。【選択図】図２
0003184425.tif 000002
【実用新案登録請求の範囲】
【請求項１】
少なくとも先端が耳介内の外耳開口周辺に入る大きさを有する、先端が丸くなった略円柱体からなる細部洗浄部と、前記細部洗浄部の後端に一体に連なる板状体からなる面洗浄部とを有する、スポンジからなる洗浄体と、
前記洗浄体の内部に設けられる前記細部洗浄部から前記面洗浄部に至る少なくとも前記細部洗浄部内は棒状に形成される芯と
を有する耳洗浄具。
【請求項２】
前記芯は少なくとも細部洗浄部内に存する部分はエラストマーにより形成される請求項１に記載の耳洗浄具。
【請求項３】
前記芯の後端側には前記洗浄体よりも外部に突出する持ち手が固定される請求項１又は２に記載の耳洗浄具。
【考案の詳細な説明】
【技術分野】
【０００１】
本考案は耳を洗浄するための器具に関する。
【背景技術】
【０００２】
耳は耳垢などが溜まりやすく適宜洗浄することが望ましいが、耳介の内側は凹凸が多く、大きなスポンジやタオルなどではうまく洗浄できない。このため、通常は指先を用いて洗浄を行うことが多いが、爪を伸ばしたり、付け爪をつけたりしている女性の場合は指先で耳を洗浄することができない。
これに対して、下記特許文献には芯の先端に丸いスポンジを固定した耳用の洗浄具が示されている。このような耳洗浄具を用いれば爪が長くても耳介の内側をうまく清掃することができる。
【先行技術文献】
【特許文献】
【０００３】
【特許文献１】特開２００６−３４１０４７号公報
【特許文献２】実用新案登録第３０４５６８３号公報
【考案の概要】
【考案が解決しようとする課題】
【０００４】
しかしながら、上記特許文献に記載の考案は、小さなスポンジが先端部分にあるだけなので十分な水分を含むことができず、また、全体に細長いので手が滑るなどにより、デリケートな外耳の中までスポンジが刺さってしまう恐れがある。
本考案は、このような問題に鑑みて、水分をより多く吸収できるとともに、外耳の奥まで洗浄部分が入り込むことを抑制できる耳洗浄器具を提供することを課題とする。
【課題を解決するための手段】
【０００５】
上記課題を解決するために、本考案は次のような構成を有する。
請求項１に記載の考案は、少なくとも先端が耳介内の外耳開口周辺に入る大きさを有する、先端が丸くなった略円柱体からなる細部洗浄部と、前記細部洗浄部の後端に一体に連なる板状体からなる面洗浄部とを有する、スポンジからなる洗浄体と、前記洗浄体の内部に設けられる前記細部洗浄部から前記面洗浄部に至る少なくとも前記細部洗浄部内は棒状に形成される芯とを有する耳洗浄具である。
請求項２に記載の考案は、前記耳洗浄具において、前記芯は少なくとも細部洗浄部内に存する部分はエラストマーにより形成されるものである。
請求項３に記載の考案は、前記耳洗浄具において、前記芯の後端側には前記洗浄体よりも外部に突出する持ち手が固定されるものである。
【考案の効果】
【０００６】
請求項１に記載の考案は、スポンジからなる洗浄体を構成する細い細部洗浄部と板状の面洗浄部とが一体に形成されているので、体積を大きくすることができ、十分に水を吸収することができる。さらに、細部洗浄部が外耳から奥側に押されても面洗浄部がストッパーとなって外耳の入口から一定範囲以上は侵入することを抑制するので外耳の奥に洗浄液が残ることが抑制され安全性が高い。
請求項２に記載の考案は、細部洗浄部内の芯をエラストマーとすることで細部洗浄部が適度な硬さを有するので、洗浄面に圧力をかけ易く、また、弾性により適度に曲がるので細部洗浄部を耳介内の細かな部分にうまく入り込ませることができる。
請求項３に記載の考案は、持ち手を設けることで面洗浄部を持つことなく操作できるので面洗浄部による洗浄が行いやすい。
【図面の簡単な説明】
【０００７】
【図１】実施形態に係る耳清掃具の斜視図である。
【図２】（ａ）は実施形態に係る耳洗浄具の正面図であり、（ｂ）は実施形態に係る耳洗浄具の側面図であり、（ｃ）は実施形態に係る耳洗浄具の平面図であり、（ｄ）は実施形態に係る耳洗浄具の底面図である。
【考案を実施するための形態】
【０００８】
以下、本考案の実施の形態について、図面を参照しながら説明する。
図１に本実施形態に係る耳洗浄具Ｘの斜視図を示す。また、図２（ａ）に耳洗浄具Ｘの正面図を、図２（ｂ）に耳洗浄具Ｘの側面図を、図２（ｃ）に耳洗浄具Ｘの平面図を、図２（ｄ）に耳洗浄具Ｘの底面図を示す。耳洗浄具Ｘは洗浄体１０、芯２０、持ち手３０から構成される。
【０００９】
洗浄体１０はスポンジにより形成され先端側の先が丸くなった円柱状の細部洗浄部１１と、基端側の外縁が丸く形成された正面視略楕円形の板状体からなる面洗浄部１２とから構成される。洗浄体１０の内部には芯２０が入る隙間が形成されている。
芯２０は洗浄体１０内部に設けられるもので、先端部２１とベース部２２とから構成される。先端部２１は洗浄体１０の細部洗浄部１１内に設けられる先が丸くなった棒状の芯でシリコーンゴムにより形成される。ベース部２２は洗浄体１０の面洗浄部１２内に設けられるもので、面洗浄部１２を小さくしたような形状を有するほとんど撓まないプラスチックにより形成される。なお、先端部２１はベース部２２の先端部分に設けられた穴に嵌入して固定されている。
持ち手３０は芯２０の基端に一体に形成されるプラスチックの棒体であり、基端近傍に貫通孔３１が形成されている。貫通孔３１には紐を通して両端を縛ることで、フックなどに引っ掛けるリング固定することができる。
【００１０】
次に、以上のような構成を有する洗浄具Ｘの使用方法について説明する。まず、使用者は洗浄体１０に石鹸水などの洗浄液を含ませる。そして、持ち手３０を持って耳介内側の溝及び外耳入り口周囲を細部洗浄部１１でこすって洗浄する。この際、芯２０の先端部２１はシリコーンゴムであるので細部に沿って適宜曲がるとともに弾性により設置面を適当な力で押圧することができる。次に、面洗浄部で耳介の裏や周囲、耳たぶなどをこすって洗浄する。次に、洗浄体１０の洗浄液を絞ってから洗い流し、細部洗浄部１１で耳介内側の溝及び外耳入り口周囲の洗浄液を拭き取る。なお、耳介裏や周囲、耳たぶなどの洗浄液は直接水で洗い流せば足りるが面洗浄部１２で拭き取ってもよい。使い終わったあとは、軽く水で洗ってフックなどに掛けて乾かすことで衛生的に保管することができる。
本実施形態に係る洗浄具Ｘは、洗浄体１０が先端の細部洗浄部１１と後端側の面洗浄部１２とから構成されるので十分に吸水ができ、また、外耳の奥に細部洗浄部１１が入り込むことが面洗浄部１２によって抑制される。
【００１１】
なお、芯２０の先端部２１はここではシリコーンゴムを用いているが、天然ゴムや他の合成ゴムなどのエラストマーであれば適宜採用することができる。また、面洗浄部や持ち手の形は適宜変更可能であり、面洗浄部を正面視四角や三角状としたり、持ち手を板状やリング状にしたりすることもできる。
【符号の説明】
【００１２】
Ｘ  耳洗浄具
１０  洗浄体
１１  細部洗浄部
１２  面洗浄部
２０  芯
２１  先端部
２２  ベース部
３０  持ち手
【図１】
0003184425.tif 000003
【図２】
0003184425.tif 000004